(57)【要約】      （修正有） 【課題】釣り用仕掛けケースにおける仕掛けの着脱の際に釣り針とハリス等の糸とが絡まずにスムーズな着脱を可能とすると共に多数の仕掛けを装着しても仕掛け同士が絡まずに任意の仕掛けを簡単に取り外せる釣り用仕掛けケースの針掛け部を提供する。【解決手段】釣り用仕掛けケースの針掛け部２がその一端には針掛け溝２０を有する針掛け部であり、該針掛け溝は傾斜溝により構成すると共に該針掛け部の底部に底上げ土台部２５を設けて、針掛け部を構成する。【選択図】図６
0003148328.tif 000002
【実用新案登録請求の範囲】
【請求項１】
ハリスの付いた釣り針を掛ける為の針掛け部２を有する釣り用仕掛けケースの針掛け部であって、
該針掛け部２は平板状の針掛け部２からなると共にその一端には針掛け用の針掛け溝２０を有し、
該針掛け溝２０は斜めに傾斜した傾斜溝により構成されると共に該針掛け部２の底部には底上げ土台部２５を有することを特徴とする釣り用仕掛けケースの針掛け部。
【請求項２】
ハリスの付いた釣り針を掛ける為の針掛け部２を有する釣り用仕掛けケースの針掛け部であって、
針掛け部２が、針掛け用の針掛け溝２０を有する突出片２１と、立設壁２２と、底部２３とからなり、
針掛け用の針掛け溝２０をその一端に有する突出片２１と底部２３とが略平行であり、突出片２１と立設壁２２とが垂直に形成して連設すると共に該針掛け溝２０が斜めに傾斜した傾斜溝により構成することを特徴とする釣り用仕掛けケースの針掛け部。
【請求項３】
ハリスの付いた釣り針を掛ける為の針掛け部２を有する釣り用仕掛けケースの針掛け部であって、
針掛け部２が、針掛け用の針掛け溝２０を有する突出片２１と、立設壁２２と、底部２３とからなり、
該底部２３には底上げ土台部２５を有するものであって、
針掛け用の針掛け溝２０をその一端に有する突出片２１と底部２３とが略平行であり、突出片２１と立設壁２２とが垂直に形成して連設すると共に該針掛け溝２０が斜めに傾斜した傾斜溝により構成することを特徴とする釣り用仕掛けケースの針掛け部。
【請求項４】
針掛け用の針掛け溝２０を有する突出片２１と立設壁２２とが９０度以上１３５度以下の傾斜角をもって構成することを特徴とする請求項２又は３のいずれかに記載の釣り用仕掛けケースの針掛け部。
【請求項５】
針掛け用の針掛け溝２０を有する突出片２１と立設壁２２とが４５度以上９０度以下の傾斜角をもって構成することを特徴とする請求項２又は３のいずれかに記載の釣り用仕掛けケースの針掛け部。
【請求項６】
釣り用仕掛けケースの基板１の平面に対して平板状の針掛け部２が傾斜して設置するものであり、少なくとも針掛け部２の針掛け溝２０方向の端部が基板１から離れ、その対向方向の端部が基板１に近接して構成することを特徴とする請求項１に記載の釣り用仕掛けケースの針掛け部。
【請求項７】
釣り用仕掛けケースの基板１の平面に対して突出片２１が傾斜して設置するものであり、少なくとも針掛け部２の突出片２１の針掛け溝２０方向の端部が基板１から離れ、その対向方向の端部が基板１に近接して構成することを特徴とする請求項４又は５のいずれかに記載の釣り用仕掛けケースの針掛け部。
【請求項８】
底上げ土台部２５が、針掛け部２の両端部よりやや内部方向から形成しているものであり、
針掛け部２を仕掛けケースの基板１に設置すると両端の幅方向の基板１と針掛け部２の間に若干の空間を有する程度、底上げ土台部２５を幅狭に形成することを特徴とする請求項１、３乃至７いずれかに記載の釣り用仕掛けケースの針掛け部。
【請求項９】
底部２３が、突出片２１と立設壁２２との両端部よりやや内部方向から形成しているものであり、
針掛け部２を仕掛けケースの基板１に設置すると両端の幅方向の基板１と突出片２１と立設壁２２との間に若干の空間を有する程度、底部２３を幅狭に形成することを特徴とする請求項２、４乃至７のいずれかに記載の釣り用仕掛けケースの針掛け部。
【請求項１０】
針掛け用の針掛け溝２０を垂直に形成することを特徴とする請求項１乃至９のいずれかに記載の釣り用仕掛けケースの針掛け部。
【請求項１１】
針掛け部２の突出片２１又は平板状の針掛け部２の下面方向にカバー２６を有し、針掛け用の針掛け溝２０に針を装着した場合に針先部分を該カバー２６で覆うことを特徴とする請求項１乃至１０のいずれかに記載の釣り用仕掛けケースの針掛け部。
【請求項１２】
針掛け部２をアルミ製、アクリル製、木製のいずれかにより形成することを特徴とする請求項１乃至１１のいずれかに記載の釣り用仕掛けケースの針掛け部。
【請求項１３】
略長方形状の基板１上に、請求項１乃至１２のいずれかに記載の針掛け部２を有する釣り用仕掛けケースであって、
該基板１上の端部方向から中央部方向に掛けて少なくとも２以上の針掛け部２を順次配設することを特徴とする釣り用仕掛けケース。
【請求項１４】
針掛け部２の底上げ土台部２５又は底部２３の幅方向の長さを同一にした針掛け部２であることを特徴とする請求項１３記載の釣り用仕掛けケース。
【請求項１５】
端部方向から中央部方向に向かって配設された針掛け部２の底上げ土台部２５又は底部２３の幅方向の長さを順次短した針掛け部２であることを特徴とする請求項１３記載の釣り用仕掛けケース。
【請求項１６】
少なくとも基板１を挿入可能な基板１とほぼ同一又はこれよりも長尺形状で内部収納部を有する収納ケース６であって、
両側板間の長尺な内部縁部にそれぞれ平行な溝部６１を有し、該溝部６１に基板１の両側端部をはめ合わせて基板１を装着可能な収納ケースであり、少なくとも内部収納部方向に基板１に装着した針掛け部２が位置して装着することを特徴とする請求項１３乃至１５のいずれかに記載の収納ケースに収納する釣り用仕掛けケース。
【請求項１７】
収納ケース６の上下面方向に位置するそれぞれの両側板間の内部縁部にそれぞれ平行な溝部６１を有し、収納ケース６の上面と下面にそれぞれ２つの基板１を収納することを特徴とする請求項１６記載の収納ケースに収納する釣り用仕掛けケース。
【考案の詳細な説明】
【技術分野】
【０００１】
本考案は、釣り用の仕掛け例えばハリス付き釣り針等を簡単に取りはずせる状態で収納しておくことのできる釣り用仕掛けケース及びこの針掛け部に関する。
【背景技術】
【０００２】
従来より、釣り用の仕掛け例えばハリス付き釣り針等に関しては、釣りを行なう際に必要に応じて交換や付け替え等を何回も行うことから、ハリス等が絡まずに又折り曲げられずにキレイな状態で保管し、かつ必要時に簡単に取り出せると共に、多数の入りつき釣り針や仕掛けを収納できる釣り用仕掛けケースが望まれており、各種の該ケースが用いられてきたものである。
例えば、釣り針をケースに引っ掛けると共にケース或いは台紙に巻きつける釣り用仕掛けケースとしては特開平７−１７０８９４号（特許文献１）、実開平１−１２１３８３号（特許文献２）に示す収納ケース又は台紙が用いられているものである。
【０００３】
この他、釣り針に結び付けたハリスや仕掛け用の糸に関して、ケースや台紙等に着脱自在に止着するためにハリスや糸を押さえるための押え部材を有するものとして実公昭４５−２６６２０号（特許文献３）、実開昭４７−２０７９７号（特許文献４）、実開昭６１−５４３６８号（特許文献５）、実開昭６４−２６９７９号（特許文献６）、実開平１−９９１６５号（特許文献７）が存在する。
更に釣り針付きハリスや仕掛けを仕掛け用の台紙等に着脱自在に装着した上でケース内に収納可能な構成としては、実開昭５３−２８１９４号（特許文献８）、実開昭５５−１５５４８２号（特許文献９）、実開昭５８−１０７７８７号（特許文献１０）、実登第３０７３４７３号（特許文献１１）、特開２００３−１６９５７９号（特許文献１２）が存在する。
【０００４】
これらは全て、釣に際してハリス付き釣り針や釣り針付きの各種仕掛け等を簡単に取出し、かつ針やハリス或いは糸を傷つけずにきれいに収納するためのものであり、かつ多数の仕掛けなどを一度に収納できる釣り用仕掛けケースとして用いられてきているものである。
【特許文献１】特開平７−１７０８９４号
【特許文献２】実開平１−１２１３８３号
【特許文献３】実公昭４５−２６６２０号
【特許文献４】実開昭４７−２０７９７号
【特許文献５】実開昭６１−５４３６８号
【特許文献６】実開昭６４−２６９７９号
【特許文献７】実開平１−９９１６５号
【特許文献８】実開昭５３−２８１９４号
【特許文献９】実開昭５５−１５５４８２号
【特許文献１０】実開昭５８−１０７７８７号
【特許文献１１】実登第３０７３４７３号
【特許文献１２】特開２００３−１６９５７９号
【考案の開示】
【考案が解決しようとする課題】
【０００５】
以上の様に、釣り用仕掛けケースは各種のものが存在するが、まず特許文献１にかかる構成においては、釣り針を針掛けに掛けた上で糸巻きの巻きつけるものであり、簡単に巻きつけられる点で有効であるが、まきつけたハリス等の糸が桟等によって折れ曲がる恐れがあり、又多数の仕掛け類を巻き込んだ場合には一の仕掛け状に他の仕掛けが巻きつけられるものであり、多数の巻きつけた任意の仕掛けのなかから一種類取り外す際に他の仕掛けが邪魔をしてその取り外しが困難になりかねなかった。
更に、張り掛けにかけた場合に張りかけの凹み部分に針が位置するがこれによって針掛けに垂直方向に起立した状態で針が引っかかるものとなり、仕掛けを装着したケースの嵩が増えてしまうこととなる。
【０００６】
従って、例えばハリス等の糸を折り曲げられ、或いは変形されることをなくし、更に多数巻きつけた仕掛け類のうち任意の仕掛けを簡単に取り外せるような釣り用仕掛けケースが望まれるものである。
次に特許文献２には多用される台紙に巻きつける仕掛け類の一例が示されているが、本図に示す場合においても台紙に設けた釣り糸掛け縁を有するものであるが、前記と同様にまきつけたハリス等の糸類が該台紙や掛け縁によって折り曲げられてしまい、変形した仕掛けとなってしまうものである。
更に、前記と同様に多数仕掛け類を巻きつけた後に任意の一の仕掛けを取り外すことは、上に巻きつけられた他の仕掛けが邪魔をし、極めて難しいものとなってしまうものである。
特にハリス部分や糸部分の不用意な折れ曲がりは、該折れ部分の強度を著しく低下させるものであり、不用意な糸切れに繋がるものであり、極力避けることが必要である。
【０００７】
更にこの折れ曲がりや巻き癖等は水中において仕掛け類を自然な状態におくことを妨げるものとなり、釣果に著しく反映するものである。
従ってこれらは極力避けることが望まれるものである。
次に特許文献３に関しては、まず釣針係止板に斜めに切れ込みを入れてこの部分に針先をかけるものであることから、斜めに針をかけることができる点は収納量を少なくする点で有利であるが、切れ込み自体は極めて小さい切れ込みであり、針先のみが該切れ込み部分に掛けられるものとなり、どうしてもチモト部分が不用意に出っ張るものとなってしまう。
更に針先のみが押えられてしまうことから針先部分の損傷等の可能性もあり、何らかの改良が望まれるものである。
【０００８】
更に本文献においては糸類の押えのための押止部を有するが、この部分に糸を掛けまわした場合においても、この切れ込み部分等によって折り曲げられてしまい、不用意な折り曲げ部を形成してしまうものである。
更に本構成においても、多数の仕掛けを装着後に任意の一の仕掛けの取り外しは他の仕掛けが邪魔をして取り外しにくいものである。
次に特許文献４においては、針は単に針掛け部にかけるものであり、針先のみが掛けられるものであり、どうしても針が針掛け部に対して立設状態で装着することとなりばかりでなく針先に過度の負担をかけるものとなることから針先の損傷の可能性も出てくる。
【０００９】
更に巻きつける糸も単に押え部で押さえ込まれているだけであることから糸の変形等が生じ易いものである。
更に、多数の装着仕掛けから一の仕掛けの取り外しも前記と同様に取り外しにくいものでしかない。
特許文献５は、突起部の切れ込みで糸部分を押えることから、不用意な糸の変形は防止できるものであり、又針も同様に切れ込み部を持って係止するものであり、絡み等を防止できるものであり、その点で有用である。
しかし、そもそもこのように一の糸部分に対して一の切れ込み部を用いると一の仕掛けケースには極めて少数の仕掛けしか装着できないものであり、本図に示す場合のように一の台紙に一の仕掛けのみしか装着できないものとなってしまう。
【００１０】
更に複数の仕掛けや長尺の仕掛け等をキレイに装着させると共に多数装着するとすれば極めで広い面積を有する巨大な仕掛けケースが必要となり、実用性にかけるものとなる。
従って、何らかの改良が望まれるものである。
又、この場合の切れ込み部分に関しては単なる切れ目であって、他の糸を取り外す等の場合に外れやすいものである。
即ち、幾種類もの仕掛けやハリス付き針を仕掛けに装着した際に一の仕掛け等を取り外すとこの近傍の仕掛けも一緒に取り外されたり緩んだりするものであって、極めて使い勝手の悪いものである。
従って、係る点において何らかの解決が望まれるものである。
【００１１】
次に特許文献６は、前記した特許文献２乃至４とほぼ同様な欠点を有するものである。
特許文献７も、ハリス等の糸の変形は避けられないものであり、又、多数の仕掛けを巻きつけた場合に任意の一の仕掛けの取り外しは難しいものであり、何らかの解決が望まれるものである。
特許文献８においては仕掛けをケース内に収納できる点で有用ではあるが、前記の各先行特許文献類と同様にし、ハリス等の変形や任意の一の仕掛けの取り外しの困難性は避けられないものであり、又切れ込みの形状により特許文献５と同様の欠点を有することから何らかの解決が望まれる。
【００１２】
特許文献９においては仕掛けをケース内に収納できる点で有用ではあるが、前記の各先行特許文献類と同様にし、ハリスなどの変形や任意の一の仕掛けの取り外しの困難性は避けられないものであり、何らかの解決が望まれる。
次に特許文献１０においては、多数の仕掛けを装着できる点及び取り外しが容易である点で有利である。
しかし、まず横桟に針をかけることからどうしても針が垂直方向に向いて装着されるものであり、場所をとってしまうものである。
更に最も大きな欠点としてハリスを引っ掛け用立片にハリスの近傍部分を引っ掛けるが、多数のハリスを一の切れ込み部分に引っ掛けた場合に、最後に掛けたハリスを特定するのは極めて困難であり、任意の一のハリスを引き外した場合にはどうしても上部に存在する他のハリスと絡んでしまい、取り外しにくいものである。
更により長尺なハリスを有する場合には装着することができないという欠点を有していると共に仕掛け類等の長尺のもの等には用いられないという欠点を有している。
次に特許文献１１は、バネによってハリス部分を延ばした状態で装着できるものであり、仕掛けの絡みや癖が付くことなどを防止できる点で有利である。
しかし、このように構成すると一のスリットに対応して一の針と糸しか装着できず、多数の仕掛けを装着する場合や多数の針を有する仕掛け等には用いることができず、多数の交換用仕掛けやハリス付き釣り針を収納して必要時に簡単かつ速やかに取り出せるという釣り用仕掛けケースとして用いることはできず、このような多数の針を用いるための仕掛けには向かないものである。
【００１３】
更に特許文献１２は、多数のハリス付き釣り針を収納できる点で有利であるが、この場合にも保管数が多くなると絡まるものであり、又長尺ハリスを有する仕掛けは絡んでしまい使用できないものであって、極めて短尺なハリスのみにしか用いることができないという欠点を有している。
以上より、各種の釣り用仕掛けケースは存在するが、まずハリス類等の糸を折り曲げることなく、又不必要な巻き癖をつけずに仕掛けケースに収納でき、更には多数装着している仕掛けから任意の一の仕掛けを取り外す際にも他の仕掛けと絡まずに簡単に取り外せる仕掛けケースの提供が望まれるものである。
【００１４】
特に、ハリス等の糸を押さえる際に他の糸類の影響を受けにくくきっちりと保持でき、装着状態の維持を確保する反面取り外しを容易にできる何らかの方策が望まれているものである。
又、ハリスの長さに関しても各種の長さに対応できると共に各種の仕掛けをも装着できる釣り用仕掛けケースの提供が望まれているものである。
更には、ケースに装着したハリス等の糸類以外の例えば針先に関しても、保護できると共に針を寝かした状態で装着できる釣り用の仕掛けケースであることも要望されているものである。
【課題を解決するための手段】
【００１５】
以上のように係る課題を見事に解決するため、請求項１に係る考案はハリスの付いた釣り針を掛ける為の針掛け部を有する釣り用仕掛けケースであって、針掛け部は平板状の針掛け部からなると共にその一端には針掛け用の針掛け溝を有し、該針掛け溝は斜めに傾斜した傾斜溝により構成されると共に該針掛け部の底部には底上げ土台部を有する釣り用仕掛けケースの針掛け部であり、係る考案によって前記課題を解決できる。
次に、請求項２に係る考案は、針掛け部が、針掛け用の針掛け溝を有する突出片と、立設壁と、底部とからなり、針掛け用の針掛け溝をその一端に有する突出片と底部とが略平行であり、突出片と立設壁とが垂直に形成した立設壁で連設すると共に該針掛け溝が斜めに傾斜した傾斜溝により構成する釣り用仕掛けケースの針掛け部であり、係る考案でも同様に解決できる。
【００１６】
或いは、請求項３に係る考案のように、針掛け部が、針掛け用の針掛け溝を有する突出片と、立設壁と、底部とからなり、該底部には底上げ土台部を有するものであって、針掛け用の針掛け溝をその一端に有する突出片と底部とが略平行であり、突出片と立設壁とが垂直に形成した立設壁で連設すると共に該針掛け溝が斜めに傾斜した傾斜溝により構成する釣り用仕掛けケースの針掛け部であってもよい。
これらの場合、請求項４に係る考案のように針掛け用の針掛け溝を有する突出片と立設壁とが９０度以上１３５度以下の傾斜角をもって構成したものでも、或いは請求項５にかかる考案のように針掛け用の針掛け溝を有する突出片と立設壁とが４５度以上９０度以下の傾斜角をもって構成した釣り用仕掛けケースの針掛け部を用いてもよいものである。
【００１７】
更に、請求項６に係る考案のように釣り用仕掛けケースの基板の平面に対して平板状の針掛け部が傾斜して設置し、少なくとも針掛け部の針掛け溝方向の端部が基板から離れ、その対向方向の端部が基板に近接して構成するものであってもよい。
或いは、請求項７に係る考案のように釣り用仕掛けケースの基板の平面に対して突出片が傾斜して設置し、少なくとも針掛け部の突出片の針掛け溝方向の端部が基板から離れ、その対向方向の端部が基板に近接して構成するものであってもよい。
或いは、請求項８に係る考案のように底上げ土台部が、針掛け部の両端部よりやや内部方向から形成しているものであり、針掛け部を仕掛けケースの基板に設置すると両端の幅方向の基板と針掛け部の間に若干の空間を有する程度、底上げ土台部を幅狭に形成するものでもよい。
【００１８】
或いは、請求項９に係る考案のように底部が、突出片と立設壁との両端部よりやや内部方向から形成しているものであり、針掛け部を仕掛けケースの基板に設置すると両端の幅方向の基板と突出片と立設壁との間に若干の空間を有する程度、底部を幅狭に形成するものでもよい。
更には、請求項１０に係る考案のように針掛け用の針掛け溝を垂直に形成するものであってももちろんよい。
或いは、請求項１１に係る考案のように針掛け部の突出片又は平板状の針掛け部の下面方向にカバーを有し、針掛け用の針掛け溝に針を装着した場合に針先部分が該カバーによって覆う釣り用仕掛けケースの針掛け部を用いてもよいものである。
【００１９】
これらの場合、請求項１２に係る考案のように針掛け部がアルミ製、アクリル製、木製のいずれかにより形成するものでもよい。
これらの他、更に請求項１３に係る考案のように略長方形状の基板上に、前記の針掛け部を有する釣り用仕掛けケースであり、該基板上の端部方向から中央部方向に掛けて少なくとも２以上の針掛け部を順次配設した釣り用仕掛けケースを 用いるものであっても同様に前記課題を解決できるものである。
この場合、請求項１４に係る考案のように針掛け部の底上げ土台部又は底部の幅方向の長さを同一にした針掛け部を用いても、請求項１５に係る考案のように端部方向から中央部方向に向かって配設された針掛け部の底上げ土台部又は底部の幅方向の長さを順次短した針掛け部を用いた釣り用仕掛けケースであってもよいものである。
【００２０】
更に、請求項１６に係る考案のように少なくとも基板を挿入可能な基板とほぼ同一又はこれよりも長尺形状で内部収納部を有する収納ケースであって、両側板間の長尺な内部縁部にそれぞれ平行な溝部を有し、該溝部に基板の両側端部をはめ合わせて基板を装着可能な収納ケースであって、少なくとも内部収納部方向に基板に装着した針掛け部が位置して装着する収納ケースに収納する釣り用仕掛けケースを用いたものでも、請求項１７に係る考案のように収納ケースの上下面方向に位置するそれぞれの両側板間の内部縁部にそれぞれ平行な溝部を有し、収納ケースの上面と下面にそれぞれ２つの基板を収納する収納ケースに収納する釣り用仕掛けケースを用いたものであってもよい。
【考案の効果】
【００２１】
先ず請求項１乃至請求項３に係る考案によればケースに釣り針を寝かした状態で装着できることとなり、多数の仕掛けを設置する際に、装着している針先に他の仕掛けのハリス等が絡まず、容易かつ安全確実に仕掛けの装着ができると共にその取り外しを可能とする。
又、各構成においてそれぞれ釣り針の装着を確実に行なえ、装着が容易で取り外しも容易である釣り用の仕掛けケースの針掛け部の提供をできる。
請求項４及び５に係る考案によれば突出片の設置状態を各種選定できることとなり、各仕掛けの構成に応じて適宜必要な構成を取れるものとなる。
【００２２】
更に請求項６に係る考案によれば平板状の針掛け部を傾斜して設置でき、針の装着を容易にしかつその取り外しを容易にするばかりでなく、装着したハリスを基板に近接した状態で設置できると共に針掛けに装着した釣り針の針先を上部位置に位置させることができ、仕掛けに装着したハリスとの間隔をあけることができると共に極力その接触を減らすことができるものであることから仕掛けの絡みを低減できるものである。
又、請求項７に係る考案によっても、突出片を用いた構成においても前記と同様であり、針先とハリスの接触を極力低減でき、不用意かつ不必要な絡みを防止できるものである。
【００２３】
又、請求項８及び９に係る考案によれば、針掛け部の下方位置においてハリスの引き回しを可能とするものであり、不必要なハリスの絡みを防止でき、装着しやすくかつ簡単に取り外せる仕掛けの提供ができるものである。
更に請求項１０に係る考案によっても、針をきっちりと針掛け部に装着できるものである。
又、請求項１１に係る考案によればカバーによって針先部を覆うことができるものであり、ハリスとの絡みを防止できるものであって、仕掛けの装着の容易化ばかりでなくその取り外しに際しても簡単に絡みなく取り外せるものである。
又請求項１２に係る考案によれば各部材によって針掛け部を形成できるものとなる。
【００２４】
更に請求項１３に係る考案によれば、前記の各効果と共に更に多数列の針掛け部を有する釣り用仕掛けケースの提供が可能となる。
又、請求項１４に係る考案によれば、ハリスの取り回しに関して針掛け部の周囲の幅が均一となることから、ハリスや糸を取り回すのにきわめて容易に行なえるものとなり不必要な折れや癖などが糸につかない状態で仕掛けの装着ができるものである。
更に請求項１５に係る考案によれば、夫々の針掛け部に掛けた針のハリスを順次内側方向にずらすことができることから、夫々の針掛け部に掛けたハリス毎に任意位置においてはリスを引き回せるものとなり、ハリスの絡みなどを防止できるものである。
【００２５】
更に請求項１６及び１７に係る考案によれば、仕掛けケースの基板を収納可能な収納ケースによって仕掛けを安全かつ取り扱い容易に保管できるものであり、複数枚の仕掛けケースを任意に着脱自在に装着できるものであることから、必要に応じて必要な仕掛けを有する仕掛けケースを持ち運べると共に取り扱えるものである。
更に基板の着脱ができることから仕掛けケースへの仕掛けの装着や取り外しも極めて簡単に行なえるものである。
【考案を実施するための最良の形態】
【００２６】
図１は、本考案に係る釣り用仕掛けケースの一例を示す図であり、略長方形状の基板１上に、封鎖用壁部４と、針掛け部２と、糸押え部３と、巻き返し部５とからなる。
まず基板１は、薄板状の長方形状よりなり、該基板１上に各種部材が配置されているものである。
次に、封鎖壁部４は本仕掛けケースを別途箱体に収納した際に隙間を塞ぐ封鎖用壁部４として機能すると共に必要に応じて手掛け部として用いることができる。
更に、ハリスの付いた釣り針を掛ける為の針掛け部２を有している。
この針掛け部２は基板１と針掛け部の間に底上げ土台部２５を有しており、基板１と針掛け部２との間に若干の間隔を有するものである。
【００２７】
本図に示す針掛け部２は基板１上の端部方向から中央部方向に掛けて計４つの針掛け部２が配設されている一例の状態を示す。
この場合、基板１上の端部方向の針掛け部２は、夫々ほぼ同一の長さを有するものであるが、その針掛け部の底上げ土台部２５が中央部方向の針掛け部２に行くに従って徐々にその幅方向の長さを短く構成している。
本図においては、一例として順次夫々の針掛け部２の底上げ土台部２５の両端が５ミリずつ短くなって構成しているものを示すがこれは一例であり、他の間隔をもってしたものでも或いは夫々の間隔を一定間隔で徐々に狭くしたものではなく任意の間隔で相違させたものであってもよい。
【００２８】
又、基板１の中央部に向かって複数の針掛け部２が順次等間隔又は任意の異なる間隔で配設されているものであり、更に順次中央部に向かって針掛け部２の幅方向の長さが短くなっていくものを用いてもよい。
或いは、これに代えて全て同一の幅を持って構成したものであってもよい。
更に、該針掛け部２は、針掛け用の針掛け溝部２０を有する突出片２１と立設壁２２と底部２３とを有し、更に底部には底上げ土台部２５を有している。
この底上げ土台部２５は底部２３の端部よりやや内部方向から有しているものであり、底部２３の幅方向の端部下部には若干の空間を有することとなる。
【００２９】
このように構成することにより、まず最も基板１の端部に位置する針掛け部２に釣り針を掛けた場合にそのハリスは、次の針掛け部の底上げ土台部２５の幅方向の側面に沿って配設でき、該底部２３の幅方向の端部下部の空間に位置するものとなる。
尚、本図構成は一例であり、針掛け部２が平板状の針掛け部からなりその一端には針掛け用の針掛け溝２０を有し、更には該針掛け部２の底部２３に底上げ土台部２５を有する構成を用いてもよい。
或いは針掛け部２が、針掛け用の針掛け溝２０を有する突出片２１と、立設壁２２と、底部２３とからなり、針掛け用の針掛け溝部２０をその一端に有する突出片２１と底部２３とが略平行で、突出片２１と立設壁２３とが垂直に形成した立設壁２２で連設しており、特段底上げ土台部２５を有さない構成をもってするものであってもよい。
【００３０】
次に基板１の他の端部方向には糸押え部３を計４箇所有しており、さらに基板１の他の最も端部方向に近い位置には巻き返し部５を有する。
この場合、糸押え部３は図示上４つを示すが、これに限らず２個でも３個でも、或いは５個以上用いるものであってもよい。
又、糸押え部３には例えば硬質ゴムや軟質ゴム等或いは各種一般的に多用されている軟質樹脂或いは硬質の樹脂等をもって形成し、該糸押え部３の表面である上面には基板１の長手方向即ち装着するハリス等の糸の配設方向に沿って切り欠き３１を有している。
これはハリスをその引き伸ばし方向においてこの切り欠き３１に挟めるように構成するものである。
【００３１】
更に表面である上面に設けたこの切り欠き３１の切れ込み３２は、更に糸押え中心部に向かって斜めに切り込まれているものである。
即ち垂直に奥方向に向かって切り込みを有しているのではなく斜めに傾斜して切れ込み３２を有するものである。
これによってハリス等の糸を切れ込み３２にはさんだ場合、斜め方向で糸押え部３の中央部方向に挟み込まれるものとなり、不用意な糸の外れがなくなる。
更には、複数のハリスを挟み込んだ場合でも、一の糸を引き出すに際して他の糸を不用意に切れ込み３２からはずれてしまうことを防止し、他の使用しないハリス等の糸をしっかりと挟み込んでおけることとなる。
【００３２】
更に、この糸押え部３の底部にはさらに糸押え底上げ土台部３５を有しており、これは底部の端部よりやや内部方向から有しているものであり、底部の幅方向の端部下部には若干の空間を有するように構成されているものである。
この場合、計４箇所に糸押え部３を有しているが、これは夫々のハリスの長さに応じて任意の糸押え部３の切れ込み部分３２で挟み込めるようにするためである。
更に、この一つの糸押え部３に関して切り欠き３１及び切れ込み３２の数は計８つであるが、これに限らず、これよりも多いものでも或いは少ないものであってもよく、任意の切り欠き数及び切れ込み数を有するものであればよい。
【００３３】
尚、長尺形状の糸を用いた場合に、例えばこの糸押え部３を越えて次の糸押え部３にまで及ぶ場合には、例えばこの底部幅方向の端部下部の若干の空間部分に糸を沿わせ、最も端の糸押え部３によって糸を押えるものであってもよい。
又、基板１の端部に向かって複数の糸押え部３の下部の空間部分を順次狭くする即ち等間隔又は任意の異間隔で順次端部の糸押え部３にいくに従って糸押え底上げ土台部３５の幅が広くなるように構成してもよい。
これによって、最も中央部に位置する針掛け部２を用いて針を掛けた糸は該中央部の幅狭に構成した糸押え部３の糸押え底上げ土台部３５に添って糸を送ることができ、順次端部方向に向かって有する針掛け部２に掛けた釣り針のハリスを送る際に徐々に幅広になる糸押え底上げ土台部３５に添って糸送りができるものであり、夫々の針掛け部２毎のハリス同士のみ一体として送ることができるものであり、他の針掛け部２の針のハリスの送り位置とは異なる夫々の糸の送り位置を確保できることとなる。
【００３４】
更に、基板１の他端の最端部方向には巻き返し部５を有しており、端部方向を円弧状の壁部を有するものであり、この壁部に沿ってハリス等の糸を巻き戻し、さらに糸押え部３に戻すことができる。
従って、長尺のハリスなどを有する仕掛けでも、装着することができる。
もとよりこの糸押え底上げ土台部３５は、全て一律の幅を有するものを用いてももちろんよいものである。
又、この他、針掛け部２のない釣り用仕掛けケースに用いるものでもよく、例えば少なくとも糸押え部３を有し、針を有さない仕掛けの部分をケースに収納可能な釣り用仕掛けケースを用いるものであってもよい。
【００３５】
図２は、本考案にかかる釣り用仕掛けケースの一例の側面図を示す。
本図に示すように、針掛け部２はその突出片２１を傾斜して構成し立設壁２２とは９０度程度の角度を持って形成されている。
さらに底部２３の下には底上げ土台部２５を有する。
これによって針掛け部２の両端部分に任意の空間を形成できる。
更にこの形態の他、針掛け部２はその突出片２１を傾斜して構成し立設壁２２とは９０度以下の鋭角の角度を持って形成されているものでも、或いは９０度を超えた角度もって形成されたものでもよい。
又、糸押え部３は、同様にその針掛け部２方向の一部を硬質ゴム部材３３で形成し、他の部分を軟質ゴム部材３４で形成したものが用いられている。
【００３６】
尚、もちろん軟質ゴム部材や硬質ゴム部材或いは軟質樹脂又は硬質樹脂などをもって全体を形成し、他の部材によって糸押え底上げ土台部３５を構成したものである。
即ち、糸押え部３の主要部を軟質ゴム又は軟質の樹脂により形成し、該糸押え部３の一部であって少なくとも切れ込み３２の一部を含む箇所を硬質ゴム又は硬質の樹脂をもって形成したものでも、或いは逆に糸押え部３の主要部を硬質ゴム又は硬質の樹脂により形成し、該糸押え部３の一部であって少なくとも切れ込み３２の一部を含む箇所を軟質ゴム又は軟質の樹脂をもって形成したものであってもよい。
これによって糸の押さえの調整が図れるものである。
【００３７】
図３は、糸押さえ部３の一例を示す図である。
糸押え部３には例えば硬質ゴムや軟質ゴムなどをもって形成し、該糸押え部３上面には基板１の長手方向即ち装着するハリス等の糸の配設方向に沿って切り欠き３１を有しているものである。
更に該切り欠き３１は糸押え部３の中心部に向かって斜めに傾斜して切り込まれている切れ込み３２を有するものである。
又、この糸押え部３の底部には糸押え底上げ土台部３５を有しており、これは底部の端部よりやや内部方向から有しているものであり、底部の幅方向の端部下部には若干の空間を有するように構成されているものである。
【００３８】
この部分には引き回されているハリスが位置するものであり、この空間に位置することからハリスには何らの曲げや変形等ができずにまっすぐの状態を維持できる。
尚、同様に針掛け部２の底上げ土台部２５においても同様にハリスを該空間に位置させることによりハリスの変形等を防止できるものである。
次に本図に示す糸押え部３は一部部材を硬質ゴム部材３３或いは硬質樹脂部材で構成し、他の部分を軟質ゴム部材３４又は軟質樹脂部材で構成している一例を示す。
即ち、糸押え部３の針掛け部２方向において硬質ゴム部材３３或いは硬質樹脂部材で構成するものである。
【００３９】
これにより、糸を掛けたときにこの硬質部材３３で外れにくくきっちりと挟み込むことを可能とすることができる。
反面これに限らず、糸押え部３の主要部を軟質ゴム部材や硬質ゴム部材或いは軟質樹脂又は硬質樹脂等をもって全体を形成し、任意方向に関して他の部材によって糸押え部３の一部を構成したものである。
例えば、糸押え部３の主要部を軟質ゴム又は軟質の樹脂により形成し、該糸押え部３の一部であって少なくとも切れ込み３２の一部を含む箇所を硬質ゴム又は硬質の樹脂をもって形成したものでも、或いは逆に糸押え部３の主要部を硬質ゴム又は硬質の樹脂により形成し、該糸押え部３の一部であって少なくとも切れ込み３２の一部を含む箇所を軟質ゴム又は軟質の樹脂をもって形成したものであってもよい。
【００４０】
図４は、該針掛け部２の一例を示す図であり、針掛け用の針掛け溝部２０を有する突出片２１と立設壁２２と底部２３とを有し、突出片２１と立設壁２２とは略９０度をもって連設されている一例を示す。
従って、突出片２１と底部２３とが略平行で突出片２１と底部２３とを垂直に形成した立設壁２２で連設されて形成されているものである。
又、この針掛け部２は更に底部２３に底上げ土台部２５を有しているものであり、両幅部方向において空間を有するものである。
この場合針掛け溝２０は垂直方向に切られているものであり、一例として示す。
【００４１】
図５は、図４の構成に代えて、突出片２１と立設壁２２とは９０度を越えて連設されている一例を示す図であり、突出片２１は斜め上部方向に突出した状態で配設されるものである。
このように構成することによって針を傾斜して針掛け部２にかけることができ、これにより針のチモトに結んだハリスの位置を基板１近くに低く位置させることができる。
これにより他の列の針掛け部２の針と接触しにくくなり、容易にあとから針を針掛け部２につけることができるものである。
この場合、突出片２１と立設壁２２とは９０度を越えて約９５度乃至１１０度程度が最も効果的であるがこの形態に限らず約１３５度程度までの傾斜を有するものであってもよい。
【００４２】
尚、反対に鋭角に構成するものであってもよいのは前述の通りである。
例えば突出片２１と立設壁２２とが４５度以上９０度以下の傾斜角をもって構成されるものであってもよい。
次に図６は針掛け溝２０を垂直方向に切るのではなく斜めに傾斜して傾斜溝を有する一例を示す図であり、図７は針掛け溝２０に針を掛けた状態の一例を示す図である。
これによっても針掛け部２にかける針を寝かせて装着できるものであり、ハリスの位置を基板１に近づけて低く装着できるようになる。
従って、図５のように突出片２１の傾斜構成を有するもの或いは他の傾斜角からなるものでも、図６及び７に示すように針掛け部の傾斜した針掛け溝２０を有するものであっても、或いは双方を有する構成を用いたものであってもよい。
【００４３】
尚、これらに示す針掛け部２はアルミ製でも或いはアクリル製を含む各種樹脂製により構成されていても或いは木製であっても各種金属製等のものにより構成されているものであってもよい。
例えば、樹脂製に関してはポリエチレン、ポリプロピレン、ポリエステル、ポリエチレンテレフタレート等の多用されている各種樹脂製を用いるものであってもよい。
少なくとも針を掛け、又その状態を維持できる程度の強度を有し、更に一定形状への成形性を有するものであればよい。
例えばアルミ製を用いると針先が滑りやすくなり着脱の便宜が高まる。
更に前記した各形態を用いた針掛け部を用いることにより、針先を保護できることとなる。
即ち例えば底上げ土台部２５によってより高く針を装着でき針先の保護が図れる。
【００４４】
又、突出片２１を斜めに傾斜しても同様に効果を得られ、さらに針掛け溝２０を傾斜溝とすることにより針を寝かせて装着でき、針先保護になると共に特に針が寝た状態となることから、収納時の収納容積を少なくすることもできることとなる。
尚、これ等の形態に関しては全て底上げ土台部２５を有する一例として示すが、底上げ土台部２５を有さずに底部２３がそのまま基板１に設置するものを用いたものであってももちろんよい。
この場合には例えば針掛け部２を仕掛けケースの基板１に設置すると両端の幅方向の基板１と突出片２１と立設壁２２との間に若干の空間を有する程度、底部２３を幅狭に形成した構成にしてもよい。
更に、突出片２１に関しては、斜めに傾斜して設置する例を示すが、これは少なくとも釣り用仕掛けケースの基板１の平面に対して傾斜して設置しているものであり、少なくとも針掛け部の針掛け溝方向の端部が基板から離れ、その対向方向の端部が基板に近接して構成しているものであることによって、ハリスが基板に適切に近接して装着できるものとなる。
【００４５】
図８は、本考案に係る釣り用仕掛けケースの他の例を示す図であり、略長方形状の基板１上に、封鎖用壁部４と、針掛け部２と、糸押え部３と、巻き返し部５とからなる点は共通である。
ハリスの付いた釣り針を掛ける為の針掛け部２に関しては平板状の針掛け部２からなり、この針掛け部２と基板１との間に底上げ土台部２５を有しており、基板１と針掛け部２との間に若干の間隔を有する構成である。
この平板状の針掛け部２には針掛け溝２０を有するものである。
この針掛け溝２０は斜めに傾斜した傾斜溝によって構成されているものであり、このように構成することによって針をきっちりと寝かせた状態で装着できる。
【００４６】
図９は、図８の側面図である。  本図に示すように、針掛け部２は平板状に形成され、さらにその下には底上げ土台部２５を有する。
これによって針掛け部２の両端部分に任意の空間を形成できる。
又、糸押え部３は、同様にその針掛け部２方向の一部を硬質ゴム部材３３で形成し、他の部分を軟質ゴム部材３４で形成したものが用いられている。
尚、もちろん軟質ゴム部材や軟質樹脂部材或いは硬質ゴム部材等をもって全体を形成し、他の部材によって糸押え底上げ土台部を構成したものである。
これによって糸押え部の両端方向において任意の空間を形成できる。
【００４７】
図１０は図８、図９に示す針掛け部２の拡大図であり、図１１は、該針掛け部２に針を掛けた状態を示す図である。
本図に示すように一例として平板状の針掛け部２をやや傾斜して形成したものであり、針掛け溝部２０が上部に位置するように構成した一例である。
この場合底上げ土台部２５にて該針掛け部２の傾斜を保持しているものである。
この他基板１にほぼ平行に設置するものであってももちろんよい。
次に針掛け部２に関しては、この構成のみならず針先が糸に絡まない他の構成をもってしてもよい。
従って、平板状の針掛け部２が傾斜して設置するものであり、少なくとも針掛け部の針掛け溝方向の端部が基板から離れ、その対向方向の端部が基板に近接して構成するものであり、例えば底上げ土台部２５によって傾斜設置されているものである。
【００４８】
図１２は、本発明に係る釣り用の仕掛けケースに用いる針掛け部の他の例を示す図であり、針掛け部２の下面方向にカバー２６を有する一例を示す。
このように針掛け部２の針掛け溝部２０の下面には該針掛け溝２０に針を掛けた場合に針先が位置するものであり、該カバー２６を設けることによって針先が保護されるばかりでなく、近傍を通る他の針のハリスとの間を切り離すことができるものであり、該カバー２６によって他の針のハリスがカバー内の針に接触することがなくなるものである。
従って、針の装着時にハリスが不用意には他の針に触れることがなくなり、または針を取り外す際にも他の針にハリスが接触することがなくなることとなり、針の着脱に際する絡みを防止できる。
【００４９】
尚、本図においては平板状の針掛け部に用いる一例を示すが、これに限らず他の構成例えば突出片、立設壁、底部からなる針掛け部において用いてもよく、この場合には例えば突出片の下面方向にカバーを有するものであってもよい。
或いは他の構成からなる針掛け部２に用いるものであってももちろんよい。
図１３は、針掛け溝２０を傾斜溝とした一例を示す図である。
このような場合には針が寝た状態で装着されるが、他のハリスと針先が接触することを防げるものである。
図１４は、本考案に係る一例の釣り用仕掛けケースにハリス付きの釣り針を多数着脱自在に装着した一例を示す図である。
まず最も端部に近い針掛け部２にハリス付きの釣り針をその針掛け溝２０に掛けることによって装着する。
【００５０】
この場合針掛け溝２０が傾斜溝であることから釣り針は傾斜した寝た状態で装着できる。
更に、３つの釣り針が装着されており、係る釣り針のハリスはさらに次の針掛け部２の底部の底上げ土台部２５の横にできた空間を通ってそのまま基板１下部の糸押え部３方向に引かれ、中央部方向の３つの糸押え部３の底部下部の糸押え底上げ土台部３５の横の空間を通ってさらに最も端部に位置する糸押え部３の切り欠き３１から連なる傾斜した切れ込み３２に挟み込まれて係止されているものである。
次に、２番目の針掛け部２にも３つのハリス付きの釣り針がその針掛け溝２０に掛けられて装着しているものである。
【００５１】
この場合も針掛け溝２０が傾斜溝であることから釣り針は傾斜した寝た状態での装着となる。
この３つの釣り針のハリスはさらに次の針掛け部２の底部の底上げ土台部２５の横にできた空間を通ってそのまま基板１下部の糸押え部３方向に引かれ、中央部方向の２つの糸押え部３の底部下部の糸押え底上げ土台部３５の横の空間を通ってさらに３番目の糸押え部３の切り欠き３１から連なる傾斜した切れ込み３２に挟み込まれて係止されているものである。
又、３番目の針掛け部２にもハリス付きの釣り針が装着されており、傾斜溝の針掛け溝２０によって釣り針を傾斜して寝た状態で装着している。
【００５２】
この場合も３つの釣り針が装着されており、係る釣り針のハリスはさらに次の針掛け部２の底部の底上げ土台部２５の横にできた空間を通ってそのまま基板１下部の糸押え部３方向に引かれ、中央部方向の１番目の糸押え部３の底部下部の糸押え底上げ土台部３５の横の空間を通ってさらに２番目の糸押え部３の切り欠き３１から連なる傾斜した切れ込み３２に挟み込まれて係止されているものである。
更に、４番目の針掛け部２に３つのハリス付きの釣り針が掛けられており、これはそのまま一番目の糸押え部３の切れ込みに挟み込まれて係止されているものである。
これらは全て夫々のハリスごとに引き回されているものであり、必要な針をつまんで針掛け溝２０から外した上でハリスを引き出すと、他のハリスの絡むことなくきれいに取り外せるものである。
【００５３】
更に各種釣り針が装着されている段階で、あいている針掛け部２に釣り針を掛けた場合であっても、釣り針が寝て装着できることから一段となりの針掛け溝２０の針と絡むことはなく、特に該掛けた針のハリスは、その同じ針掛け部２に掛けられたハリスと同様に引き回され、特に底上げ土台部２５によってできた空間に張った状態で位置するものであることから、同空間にいる他のハリスと絡むことはなく適宜な間隔をもって張った状態でハリスが引き回されるものであることから、ハリス同士での着脱に際しての絡みを防げるものである。
【００５４】
以上のように、基板上に２以上の針掛け部２を有すると共に該針掛け部２と共に２以上の糸押え部３を有する構成で、該最も中央部に位置する糸押え部３の糸押え底上げ土台部３５の底部の幅が、最も中央部に位置する針掛け部２の底上げ土台部２５の幅方向の長さよりも短いものであり、更に該中央部から２番目に配設された糸押え部２の糸押え底上げ土台部３５の底部の幅が、中央部から２番目に配設された針掛け部２の底上げ土台部２５の幅方向の長さよりも短いものであり、更に２番目以降に配設された糸押え部３の糸押え底上げ土台部３５の底部の幅が、夫々その糸押え部３に対応する中央部から２番目以降に配設された針掛け部２の底上げ土台部２５の幅方向の長さよりも短いように構成することによって、前記効果をより効果的に発揮できるものである。
【００５５】
尚、もとより針掛け部２よりも糸押え部３を多く形成するものであってもよいものであり、この場合には、該針掛け部２より多い糸押え部３は基板１上の夫々の針掛け部２に対応した夫々の糸押え部３の配設位置よりも端部方向にその多くなった糸押え部３を配置するものであれば、各空間を適切に活用できるものである。
尚、この場合、針掛け部２の底上げ土台部２５に関しては徐々に幅狭に構成するが、これに限らず任意の異なる幅に構成するものでも、或いは全て同一の幅を有するものであってもいずれを用いてもよい。
更に底上げ土台部２５を有さず底部がそのまま基板１に設置する構成における底部の幅に関しても前記のように順次幅狭にするものでも、或いは任意の異なる幅に構成するものでも、或いは全て同一の幅を有するものであってもいずれでもよい。
【００５６】
この幅の相違は糸押え部３における糸押え底上げ土台部３５においても同様である。
図１５は、本考案に係る釣り用仕掛けケースの基板１を２枚一度に収納可能な仕掛けケースの一例を示す図である。
本図の様に収納用のケース６にはその上面と下面に夫々基板１を挿入して収納できるものであり、基板１に装着した仕掛けが収納用ケース６内部に向くように装着できるものである。
本図構成においては収納ケース６の上面とした面夫々の容器内部縁部に溝６１を有しており、該溝６１に沿って基板１の側縁を差し入れて装着するものであり、必要に応じて着脱できるものである。
従って、ほぼ同一又はこれよりも長尺形状で内部収納部を有する収納ケース６であり、両側板間の長尺な内部縁部にそれぞれ平行な溝部６１を有するものであって、該溝部６１に基板１の両側端部をはめ合わせて基板を装着することができるものである。
【００５７】
特に内部収納部方向には基板１に装着した針掛け部２と糸押え部３が位置するように装着することによって仕掛けの保護が図れるものである。
更に、収納ケース６の上下面方向にそれぞれ基板１を収納できるものであり、そのために収納ケース６のそれぞれの両側板間の内部縁部に上下面それぞれに平行な溝部６１を有するものとなる。
これによって、収納ケース６の上面と下面にそれぞれ２つの基板１を収納することができるものである。
以上のように構成したことから、基板１に関しては自由に入れ替えられるために予備の基板を用意すれば、自由に差し替えすることができ、用途や目的により使用勝手が無限に広がるものである。
【００５８】
更に、基板１を着脱自在にし、かつ基板１を持つことができることから本仕掛けケースに針をかける際の針掛けの作業を容易に行なえるものとなり、仕掛けケースへの仕掛けの装着及び取り外しを容易にすることができるものである。
尚、本明細書に示す糸押え部３又は針掛け部２を設置する基板１は一例であり、このような釣り用仕掛けケースに限らず単なる板状の釣り用仕掛けケースに用いるものでも、或いは折り込み形の釣り用仕掛けケースに用いるものでも、或いは他の形態の釣り用仕掛けケースに用いるものでもいずれに用いるものであってもよい。
この場合、針掛け部２を有するものの他、この針掛け部２を有さずに糸押え部３を有し、針を有さない仕掛けを収納するための釣り用仕掛けケースに用いるものであってもよい。
【図面の簡単な説明】
【００５９】
【図１】本考案に係る釣り用仕掛けケースの一例を示す図
【図２】本考案に係る釣り用仕掛けケースの一例を示す図
【図３】本考案に係る釣り用仕掛けケースの糸押え部の一例を示す図
【図４】本考案に係る釣り用仕掛けケースの針掛け部の一例を示す図
【図５】本考案に係る釣り用仕掛けケースの針掛け部の他の一例を示す図
【図６】本考案に係る釣り用仕掛けケースの針掛け部の他の一例を示す図
【図７】本考案に係る釣り用仕掛けケースの針掛け部に釣り針を掛けた状態の一例を示す図
【図８】本考案に係る釣り用仕掛けケースの他の一例を示す図
【図９】本考案に係る釣り用仕掛けケースの他の一例を示す図
【図１０】本考案に係る釣り用仕掛けケースの針掛け部の他の一例を示す図
【図１１】本考案に係る釣り用仕掛けケースの針掛け部に釣り針を掛けた状態の一例を示す図
【図１２】本考案に係る釣り用仕掛けケースの針掛け部の他の一例を示す図
【図１３】本考案に係る釣り用仕掛けケースの針掛け部に釣り針を掛けた状態の一例を示す図
【図１４】本考案に係る釣り用仕掛けケースにハリス付きの釣り針を多数着脱自在に装着した一例を示す図
【図１５】本考案に係る釣り用仕掛けケースを収納する収納ケースの一例を示す図
【符号の説明】
【００６０】
１    基板
２    針掛け部
２０    針掛け溝
２１    突出片
２２    立設壁
２３    底部
２５    底上げ土台部
２６    カバー
３      糸押え部
３１    切り欠き
３２    切れ込み
３３    硬質ゴム部材
３４    軟質ゴム部材
３５    糸押え底上げ土台部
４      封鎖用壁部
５      巻き返し部
６      収納用ケース
６１    溝部
【図１】
0003148328.tif 000003
【図２】
0003148328.tif 000004
【図３】
0003148328.tif 000005
【図４】
0003148328.tif 000006
【図５】
0003148328.tif 000007
【図６】
0003148328.tif 000008
【図７】
0003148328.tif 000009
【図８】
0003148328.tif 000010
【図９】
0003148328.tif 000011
【図１０】
0003148328.tif 000012
【図１１】
0003148328.tif 000013
【図１２】
0003148328.tif 000014
【図１３】
0003148328.tif 000015
【図１４】
0003148328.tif 000016
【図１５】
0003148328.tif 000017